(57)【特許請求の範囲】
【請求項１】
ホスト装置及び複数の電力消費部を備えるデバイス装置を有し、前記ホスト装置と前記デバイス装置とが電源ラインを含む通信インタフェースにより通信接続される操作装置において、
前記通信インタフェースに含まれる前記電源ラインの電源電圧を監視する電源監視部と、
前記電源監視部による監視結果に基づいて、前記デバイス装置の動作モードを、前記複数の電力消費部に対して電源を供給する通常モードと、当該通常モードよりも少ない消費電力である節電モードのいずれかに切り替える切り替え部と、を備え、
前記切り替え部は、
前記通常モードから前記節電モードへの切り替えの際、前記複数の電力消費部のうち、所定の電力消費部の電源の供給を停止する操作装置。
【請求項２】
前記通信インタフェースは、
前記電源ラインと、
差動信号線と、
グランドとを備える、
ＵＳＢインタフェースであり、
前記電源監視部は、前記電源ラインを介して、第１の電源電圧と前記第１の電源電圧より低い第２の電源電圧のいずれの電源電圧が供給されるかを監視し、
前記切り替え部は、前記電源監視部が監視する前記電源ラインの前記電源電圧の状態に応じて、前記通常モードと前記節電モードのいずれかに切り替える請求項１に記載の操作装置。
【請求項３】
前記切り替え部は、
前記電源ラインに前記第１の電源電圧が供給される場合は、前記デバイス装置の動作モードを前記通常モードとし、前記電源ラインに前記第２の電源電圧が供給される場合は、前記デバイス装置の動作モードを前記節電モードとする請求項２に記載の操作装置。
【請求項４】
前記第１の電源電圧は５Ｖであり、
前記第２の電源電圧は３．３Ｖであり、
前記切り替え部は、前記電源ラインに５Ｖの電源電圧が供給される場合は、前記デバイス装置の動作モードを前記通常モードとし、前記電源ラインに３．３Ｖの電源電圧が供給される場合は、前記デバイス装置の動作モードを前記節電モードとする請求項３に記載の操作装置。
【請求項５】
前記所定の電力消費部は、
情報を表示するとともに操作される操作表示部と、
前記デバイス装置を制御する第１の制御部と、
前記ホスト装置と通信する通信部と、
を備える請求項１から４のいずれか一項に記載の操作装置。
【請求項６】
前記切り替え部は、
前記通常モードから前記節電モードへの切り替えの際、前記複数の電力消費部のうち、前記所定の電源消費部である第１の電力消費部の電源の供給を停止するとともに、前記第１の電力消費部以外の少なくとも１つの電力消費部である第２の電力消費部の消費電力が低下する節電状態へ移行させる
請求項１から５のいずれか一項に記載の操作装置。
【請求項７】
前記第１の電力消費部は、
情報を表示するとともに操作される操作表示部を備え、
前記第２の電力消費部は、
前記デバイス装置を制御する第１の制御部を備える請求項６に記載の操作装置。 
【請求項８】
前記デバイス装置は、
前記節電モードと前記通常モードとの切り替え操作をするための操作キーを備え、
前記切り替え部は、
前記操作キーにより前記通常モードから前記節電モードへの切り替え操作があったとき、又は前記操作装置において所定時間内に所定の処理が実行されないと前記ホスト装置により判別されたとき、前記通常モードから前記節電モードへ切り替えを行う請求項１から７のいずれか一項に記載の操作装置。
【請求項９】
前記切り替え部は、
前記操作キーにより前記節電モードから前記通常モードへの切り替え操作があったとき、又は前記操作装置において所定の処理が実行されたと前記ホスト装置により判別されたとき、前記節電モードから前記通常モードへ切り替えを行う請求項８に記載の操作装置。
【請求項１０】
前記デバイス装置は、
ＤＣ−ＤＣコンバータを備え、
前記ＤＣ−ＤＣコンバータは、前記電源ラインを介して、前記第１の電源電圧として５Ｖが供給された場合に３．３Ｖを出力し、前記電源ラインを介して、前記第２の電源電圧として３．３Ｖが供給された場合に３．３Ｖを出力する請求項４に記載の操作装置。
【請求項１１】
前記ホスト装置は、
前記節電モード時に電源の供給の不要な不要回路部と、
前記通常モードから前記節電モードへの切り替えの際、前記不要回路部に対する電源の供給の停止及び動作周波数の低下処理の少なくとも１つを行う第２の制御部と、
を備える請求項１から１０のいずれか一項に記載の操作装置。
【請求項１２】
電源ラインを含む通信インタフェースにより、ホスト装置と通信接続されるデバイス装置において、
複数の電力消費部と、
前記通信インタフェースに含まれる前記電源ラインの電源電圧を監視する電源監視部と、
前記電源監視部による監視結果に基づいて、前記デバイス装置の動作モードを、前記複数の電力消費部に対して電源を供給する通常モードと、当該通常モードよりも少ない消費電力である節電モードのいずれかに切り替える切り替え部と、を備え、
前記切り替え部は、
前記通常モードから前記節電モードへの切り替えの際、前記複数の電力消費部のうち、所定の電力消費部の電源の供給を停止するデバイス装置。
【請求項１３】
前記通信インタフェースは、
前記電源ラインと、
差動信号線と、
グランドとを備える、
ＵＳＢインタフェースであり、
前記電源監視部は、前記電源ラインを介して、第１の電源電圧と前記第１の電源電圧より低い第２の電源電圧のいずれの電源電圧が供給されるかを監視し、
前記切り替え部は、前記電源監視部が監視する前記電源ラインの前記電源電圧の状態に応じて、前記通常モードと前記節電モードのいずれかに切り替える請求項１２に記載のデバイス装置。
【請求項１４】
前記切り替え部は、
前記電源ラインに前記第１の電源電圧が供給される場合は、前記デバイス装置の動作モードを前記通常モードとし、前記電源ラインに前記第２の電源電圧が供給される場合は、前記デバイス装置の動作モードを前記節電モードとする請求項１３に記載のデバイス装置。
【請求項１５】
前記第１の電源電圧は５Ｖであり、
前記第２の電源電圧は３．３Ｖであり、
前記切り替え部は、前記電源ラインに５Ｖの電源電圧が供給される場合は、前記デバイス装置の動作モードを前記通常モードとし、前記電源ラインに３．３Ｖの電源電圧が供給される場合は、前記デバイス装置の動作モードを前記節電モードとする請求項１４に記載のデバイス装置。
【請求項１６】
前記所定の電力消費部は、
情報を表示するとともに操作される操作表示部と、
制御部と、
前記ホスト装置と通信する通信部と、
を備える請求項１２から１５のいずれか一項に記載のデバイス装置。
【請求項１７】
前記切り替え部は、
前記通常モードから前記節電モードへの切り替えの際、前記複数の電力消費部のうち、前記所定の電力消費部である第１の電力消費部の電源の供給を停止するとともに、前記第１の電力消費部以外の少なくとも１つの電力消費部である第２の電力消費部の消費電力が低下する節電状態へ移行させる
請求項１２から１６のいずれか一項に記載のデバイス装置。
【請求項１８】
前記第１の電力消費部は、
情報を表示するとともに操作される操作表示部を備え、
前記第２の電力消費部は、
制御部を備える請求項１７に記載のデバイス装置。
【発明の詳細な説明】
【技術分野】
【０００１】
本発明は、操作装置、及びデバイス装置に関する。
【背景技術】
【０００２】
ＣＰＵ（Central  Processing  Unit）やチップセット等の主要機能を１チップにしたＳｏｃ（System-on-a-chip）は、プリンタ、スキャナー、コピー、ＦＡＸ等の機能を備えたＭＦＰ（Multifunction Peripheral：多機能周辺装置）内の主制御基板に使用され、このＳＯＣが持つ通信機能を使用して、装置内の他の基板と接続されることが多い（以下、ＭＦＰを多機能周辺装置と記す）。これは、Ｓｏｃには多くのＵＳＢ（Universal Serial Bus）ポートが備えられており、変換チップなしでＵＳＢ通信が可能だからである。また、転送速度やノイズ耐性の観点からも、ＵＳＢ通信を使用するメリットは大きい。
【０００３】
また、近年、消費電力の削減が強く求められており、特に、多機能周辺装置の通常動作時の消費電力も然ることながら稼働時間の多くを占める節電モード時の消費電力の削減が重要視されている。このため、ＵＳＢ通信を使用する多機能周辺装置において、節電モード時の消費電力をどれだけ削減できるかが大きな課題となっている  
【０００４】
消費電力を削減する技術としては、デバイス装置からホスト装置に対するスリープモード（節電モード）から通常モードへの復帰通知時のＵＳＢ接続線のブルアップを信号線に別途設けられた外部検出回路により検出することで、ホスト装置のスリープモード時にホスト装置側のＵＳＢコントローラの電源供給を停止する技術が知られている（例えば、特許文献１参照）。
また、省電力モード時（節電モード時）に、ＵＳＢポートのＶＢＵＳに制御部用電源と同様の電圧（３．３Ｖ）が供給されており、ＵＳＢデバイスがＵＳＢポートへ接続されたことを検出することにより、省電力モード時に５Ｖ電源が停止される分、消費電力を低減できる技術も知られている（例えば、特許文献２参照）。
【先行技術文献】
【特許文献】
【０００５】
【特許文献１】特開２００５−１９６３５２号公報
【特許文献２】特開２００８−１１９９３９号公報
【発明の概要】
【発明が解決しようとする課題】
【０００６】
一般的に、多機能周辺装置は、デバイス装置（例えば、ユーザインタフェース機能を有する操作パネル）と、当該デバイス装置を管理するホスト装置（例えば、メインコントローラ）とから構成される（デバイス装置を操作パネル、ホスト装置をメインコントローラと記す）。多機能周辺装置の利便性を損なわないため、操作パネルは、節電モード時においてユーザに対する情報の表示や節電モードから通常モードへの復帰操作の受付を行う必要がある。このため、節電モード時であっても、操作パネルではこれらの動作を行なうために電力消費が行われ、操作パネルの消費電力を十分に削減することができなかった。
【０００７】
また、メインコントローラと操作パネルとは、電源ライン、ＧＮＤ（グランド）ライン及びＵＳＢ通信を行う差動信号ライン２本の計４本からなる信号線により構成される。この場合、４本の少ない信号線により構成されるため、例えば、メインコントローラと操作パネルとのＵＳＢ通信が切断されると、節電モードから通常モードへの復帰を検出するような複雑な制御はできない。このとき、デバイス装置がＵＳＢメモリのように挿抜可能なデバイスであれば、デバイス装置の再接続をトリガにＵＳＢ通信を再開できる。しかし、操作パネルのように挿抜しないデバイスの場合、挿抜をトリガとしてＵＳＢ通信を再開できない。このため、節電モードから通常モードへの復帰を検出できないという問題があった。
【０００８】
また、上述の４本以外の信号線を追加して、節電モードから通常モードへの復帰を検出するような構成としても、ケーブルを１本増やしたり、特殊なコネクタで接続する必要があるため、コストアップにつながってしまう。
【０００９】
また、上記特許文献１の技術は、スリープモード時（節電モード時）に、デバイス装置側の電源供給を制御することはできないため、デバイス装置の消費電力削減を実現できない。また、スリープモード時（節電モード時）に、ホスト装置側からデバイス装置側へスリープモードから通常モードへの復帰を通知することもできない。
また、上記特許文献２の技術は、ホスト装置側の消費電力削減を可能とする技術であり、デバイス装置の消費電力削減を実現できない。
【００１０】
本発明の課題は、ユーザの利便性を損なわずに、通常モードから節電モードへの移行又は節電モードから通常モードへの復帰をホスト装置及びデバイス装置の双方から可能とし、且つ、デバイス装置の消費電力を削減することである。
【課題を解決するための手段】
【００１１】
上記課題を解決するため、請求項１に記載の発明の操作装置は、ホスト装置及び複数の電力消費部を備えるデバイス装置を有し、前記ホスト装置と前記デバイス装置とが電源ラインを含む通信インタフェースにより通信接続される操作装置において、前記通信インタフェースに含まれる前記電源ラインの電源電圧を監視する電源監視部と、前記電源監視部による監視結果に基づいて、前記デバイス装置の動作モードを、前記複数の電力消費部に対して電源電圧を供給する通常モードと、当該通常モードよりも少ない消費電力である節電モードのいずれかに切り替える切り替え部と、を備え、前記切り替え部は、前記通常モードから前記節電モードへの切り替えの際、前記複数の電力消費部のうち、所定の電力消費部の電源の供給を停止する。
【００１２】
請求項２に記載の発明は、請求項１に記載の操作装置において、前記通信インタフェースは、前記電源ラインと、差動信号線と、グランドとを備える、ＵＳＢインタフェースであり、前記電源監視部は、前記電源ラインを介して、第１の電源電圧と前記第１の電源電圧より低い第２の電源電圧のいずれの電源電圧が供給されるかを監視し、前記切り替え部は、前記電源監視部が監視する前記電源ラインの前記電源電圧の状態に応じて、前記通常モードと前記節電モードのいずれかに切り替える。
請求項３に記載の発明は、請求項２に記載の操作装置において、前記切り替え部は、前記電源ラインに前記第１の電源電圧が供給される場合は、前記デバイス装置の動作モードを前記通常モードとし、前記電源ラインに前記第２の電源電圧が供給される場合は、前記デバイス装置の動作モードを前記節電モードとする。
【００１３】
請求項４に記載の発明は、請求項３に記載の操作装置において、前記第１の電源電圧は５Ｖであり、前記第２の電源電圧は３．３Ｖであり、前記切り替え部は、前記電源ラインに５Ｖの電源電圧が供給される場合は、前記デバイス装置の動作モードを前記通常モードとし、前記電源ラインに３．３Ｖの電源電圧が供給される場合は、前記デバイス装置の動作モードを前記節電モードとする。
請求項５に記載の発明は、請求項１から４のいずれか一項に記載の操作装置において、前記所定の電力消費部は、情報を表示するとともに操作される操作表示部と、前記デバイス装置を制御する第１の制御部と、前記ホスト装置と通信する通信部と、を備える。
【００１４】
請求項６に記載の発明は、請求項１から５のいずれか一項に記載の操作装置において、前記切り替え部は、前記通常モードから前記節電モードへの切り替えの際、前記複数の電力消費部のうち、前記所定の電源消費部である第１の電力消費部の電源の供給を停止するとともに、前記第１の電力消費部以外の少なくとも１つの電力消費部である第２の電力消費部の消費電力が低下する節電状態へ移行させる。
請求項７に記載の発明は、請求項６に記載の操作装置において、前記第１の電力消費部は、情報を表示するとともに操作される操作表示部を備え、前記第２の電力消費部は、前記デバイス装置を制御する第１の制御部を備える。
【００１５】
請求項８に記載の発明は、請求項１から７のいずれか一項に記載の操作装置において、前記デバイス装置は、前記節電モードと前記通常モードとの切り替え操作をするための操作キーを備え、前記切り替え部は、前記操作キーにより前記通常モードから前記節電モードへの切り替え操作があったとき、又は前記操作装置において所定時間内に所定の処理が実行されないと前記ホスト装置により判別されたとき、前記通常モードから前記節電モードへ切り替えを行う。
請求項９に記載の発明は、請求項８に記載の操作装置において、前記切り替え部は、前記操作キーにより前記節電モードから前記通常モードへの切り替え操作があったとき、又は前記操作装置において所定の処理が実行されたと前記ホスト装置により判別されたとき、前記節電モードから前記通常モードへ切り替えを行う。
【００１６】
請求項１０に記載の発明は、請求項４に記載の操作装置において、前記デバイス装置は、ＤＣ−ＤＣコンバータを備え、前記ＤＣ−ＤＣコンバータは、前記電源ラインを介して、前記第１の電源電圧として５Ｖが供給された場合に３．３Ｖを出力し、前記電源ラインを介して、前記第２の電源電圧として３．３Ｖが供給された場合に３．３Ｖを出力する。
請求項１１に記載の発明は、請求項１から１０のいずれか一項に記載の操作装置において、前記ホスト装置は、前記節電モード時に電源の供給の不要な不要回路部と、前記通常モードから前記節電モードへの切り替えの際、前記不要回路部に対する電源の供給の停止及び動作周波数の低下処理の少なくとも１つを行う第２の制御部と、を備える。
【００１７】
請求項１２に記載のデバイス装置は、電源ラインを含む通信インタフェースにより、ホスト装置と通信接続されるデバイス装置において、複数の電力消費部と、前記通信インタフェースに含まれる前記電源ラインの電源電圧を監視する電源監視部と、前記電源監視部による監視結果に基づいて、前記デバイス装置の動作モードを、前記複数の電力消費部に対して電源を供給する通常モードと、当該通常モードよりも少ない消費電力である節電モードのいずれかに切り替える切り替え部と、を備え、前記切り替え部は、前記通常モードから前記節電モードへの切り替えの際、前記複数の電力消費部のうち、所定の電力消費部の電源の供給を停止する。
【００１８】
請求項１３に記載の発明は、請求項１２に記載のデバイス装置において、前記通信インタフェースは、前記電源ラインと、差動信号線と、グランドとを備える、ＵＳＢインタフェースであり、前記電源監視部は、前記電源ラインを介して、第１の電源電圧と前記第１の電源電圧より低い第２の電源電圧のいずれの電源電圧が供給されるかを監視し、前記切り替え部は、前記電源監視部が監視する前記電源ラインの前記電源電圧の状態に応じて、前記通常モードと前記節電モードのいずれかに切り替える。
請求項１４に記載の発明は、請求項１３に記載のデバイス装置において、前記切り替え部は、前記電源ラインに前記第１の電源電圧が供給される場合は、前記デバイス装置の動作モードを前記通常モードとし、前記電源ラインに前記第２の電源電圧が供給される場合は、前記デバイス装置の動作モードを前記節電モードとする。
【００１９】
請求項１５に記載の発明は、請求項１４に記載のデバイス装置において、前記第１の電源電圧は５Ｖであり、前記第２の電源電圧は３．３Ｖであり、前記切り替え部は、前記電源ラインに５Ｖの電源電圧が供給される場合は、前記デバイス装置の動作モードを前記通常モードとし、前記電源ラインに３．３Ｖの電源電圧が供給される場合は、前記デバイス装置の動作モードを前記節電モードとする。
請求項１６に記載の発明は、請求項１２から１５のいずれか一項に記載のデバイス装置において、前記所定の電力消費部は、情報を表示するとともに操作される操作表示部と、制御部と、前記ホスト装置と通信する通信部と、を備える。
請求項１７に記載の発明は、請求項１２から１６のいずれか一項に記載のデバイス装置において、前記切り替え部は、前記通常モードから前記節電モードへの切り替えの際、前記複数の電力消費部のうち、前記所定の電力消費部である第１の電力消費部の電源の供給を停止するとともに、前記第１の電力消費部以外の少なくとも１つの電力消費部である第２の電力消費部の消費電力が低下する節電状態へ移行させる。
請求項１８に記載の発明は、請求項１７に記載のデバイス装置において、前記第１の電力消費部は、情報を表示するとともに操作される操作表示部を備え、前記第２の電力消費部は、制御部を備える。
【発明の効果】
【００２０】
本発明によれば、ユーザの利便性を損なわずに、通常モードから節電モードへの移行又は節電モードから通常モードへの復帰をホスト装置及びデバイス装置の双方から可能とし、且つ、デバイス装置の消費電力を削減することができる。
【図面の簡単な説明】
【００２１】
【図１】第１の実施の形態に係る操作装置の内部構成を示した図である。
【図２】通常モードから節電モードへ移行する際のメインコントローラの動作を示したフローチャートである。
【図３】通常モードから節電モードへ移行する際の操作パネルの動作を示したフローチャートである。
【図４】節電モードから通常モードへ移行する際のメインコントローラの動作を示したフローチャートである。
【図５】節電モードから通常モードへ移行する際の操作パネルの動作を示したフローチャートである。
【図６】第２の実施の形態に係る操作装置の内部構成図を示した図である。
【図７】通常モードから節電モードへ移行する際のメインコントローラの動作を示したフローチャートである。
【図８】通常モードから節電モードへ移行する際の操作パネルの動作を示したフローチャートである。
【図９】節電モードから通常モードへ移行する際のメインコントローラの動作を示したフローチャートである。
【図１０】節電モードから通常モードへ移行する際の操作パネルの動作を示したフローチャートである。
【発明を実施するための形態】
【００２２】
（第１の実施の形態）
以下、図１〜図５を参照して、本発明に係る第１の実施の形態を詳細に説明する。先ず、図１を参照して、本実施の形態の操作装置１の内部構成を説明する。操作装置は、ＭＦＰとしての機能を備えた装置である。図１に示すように、操作装置１は、ホスト装置としてのメインコントローラ１００と、デバイス装置としての操作パネル２００と、を備えて構成される。メインコントローラ１００と操作パネル２００とは通信インタフェースとしてのＵＳＢインタフェース３００を介して接続されている。    
【００２３】
メインコントローラ１００は、図示しない他の回路部を用いてプリント、コピー、スキャン、ＦＡＸ等の複数の処理を行なうことができる。メインコントローラ１００は、第２の制御部としての制御部１０１と、ＵＳＢコントローラ１０２と、５Ｖ用のスイッチング回路１０３と、３．３Ｖ用のスイッチング回路１０４と、を備えて構成される。
【００２４】
制御部１０１は、ＣＰＵ、ＲＡＭ（Random Access Memory）、ＲＯＭ（Read Only Memory）等により構成され、メインコントローラ１００の各部を中央制御する。
【００２５】
ＵＳＢコントローラ１０２は、操作パネル２００のＵＳＢコントローラ２０２と通信接続されており、差動信号線３０２，３０３を介してＵＳＢコントローラ２０２とデータの送受信を行う。
【００２６】
スイッチング回路１０３は、制御部１０１からの指示に従って、電源部（図示省略）から供給される５Ｖ電源を操作パネル２００へ供給するためのスイッチング制御（ＯＮ／ＯＦＦ制御）を行う。
【００２７】
スイッチング回路１０４は、制御部１０１からの指示に従って、電源部（図示省略）から供給される３．３Ｖ電源を操作パネル２００へ供給するためのスイッチング制御（ＯＮ／ＯＦＦ制御）を行う。
【００２８】
操作パネル２００は、ユーザインタフェースとしての機能を有する。操作パネル２００は、第１の制御部としての制御部２０１と、通信部としてのＵＳＢコントローラ２０２と、ＤＣ−ＤＣコンバータ２０３と、電源監視部２０４と、ＯＲ回路２０５と、スイッチング回路２０６と、ＬＥＤ（Light Emitting Diode）表示部２０７と、操作キーとしての節電キー２０８と、スイッチ２０８Ａと、プルダウン抵抗２０９と、スイッチング回路２１０と、操作表示部２１１と、を備えて構成される。ＯＲ回路２０５、スイッチング回路２０６及びスイッチング回路２１０は、切り替え部として機能する。
【００２９】
制御部２０１は、ＣＰＵ、ＲＡＭ、ＲＯＭ等により構成される。
【００３０】
ＵＳＢコントローラ２０２は、メインコントローラ１００のＵＳＢコントローラ１０２と通信接続されており、差動信号線３０２，３０３を介してＵＳＢコントローラ１０２とデータの送受信を行う。
【００３１】
ＤＣ−ＤＣコンバータ２０３は、電源ライン３０１を介して入力された電圧（５Ｖ又は３．３Ｖ）を３．３Ｖとして常時出力する。
【００３２】
電源監視部２０４は、電源ライン３０１を介して入力された電圧を監視する。そして、電源監視部２０４は、監視結果としてハイレベルの信号“１”又はローレベルの信号“０”を出力する。例えば、電源ライン３０１を介して５Ｖが入力された場合、電源監視部２０４は、“１”を出力する。また、電源ライン３０１を介して３．３Ｖが入力された場合、電源監視部２０４は、“０”を出力する。
【００３３】
ＯＲ回路２０５は、電源監視部２０４から出力される信号と、節電キー２０８の押下によりレベル変化する信号（押下信号２１３）とのいずれかが“１”であれば、出力信号として“１”をスイッチング回路２０６に出力する。
【００３４】
スイッチング回路２０６は、ＯＲ回路２０５から入力される信号に基づいて、制御部２０１及びＵＳＢコントローラ２０２へ供給する電源を制御する。例えば、ＯＲ回路２０５から“１”が入力された場合、スイッチング回路２０６は、ＯＮ状態となり、制御部２０１及びＵＳＢコントローラ２０２へ３．３Ｖ電源を供給する。また、ＯＲ回路２０５から“０”が入力された場合、スイッチング回路２０６は、ＯＦＦ状態となり、制御部２０１及びＵＳＢコントローラ２０２への電源供給を停止する。
【００３５】
ＬＥＤ表示部２０７は、ユーザに対して節電モードまたは通常動作モードであることの通知をするためのＬＥＤ、通常モード時のエラー表示等をするためのＬＥＤ、又は各キーの照明として使用されるＬＥＤである。
【００３６】
節電キー２０８は、通常モードから節電モードへ移行するための節電モード移行キー又は節電モードから通常モードへ復帰するための通常モード復帰キーとして機能する。節電キー２０８が押下されると、押下された期間だけ、押下信号２１３は “１”となる。また、通常モード時に節電キー２０８が押下されると、節電モード移行信号２１２が制御部２０１に入力され、節電モードへの移行処理が開始する。スイッチ２０８Ａは、節電キーが押下されたか否かを監視するためのスイッチである。
【００３７】
プルダウン抵抗２０９は、節電キー２０８が押下されないとき、ＯＲ回路２０５に入力される押下信号２１３および制御部２０１に入力される節電モード移行信号２１２を“０”に保持するための抵抗である。
【００３８】
スイッチング回路２１０は、電源監視部２０４の監視結果に従って、操作表示部２１１に供給する電源を制御する。例えば、電源監視部２０４から“１”が入力されたとき、スイッチング回路２１０はＯＮ状態となり、操作表示部２１１に電源を供給する。また、電源監視部２０４から“０”が入力されたとき、スイッチング回路２１０はＯＦＦ状態となり、操作表示部２１１への電源供給を停止する。
【００３９】
操作表示部２１１は、ＬＣＤ（Liquid Crystal Display）、タッチパネル等を備え、各種設定条件を入力するための各種画面や各種処理結果等をＬＣＤに表示する。また、操作表示部２１１は、各種スイッチやボタン、テンキー、操作キー群又はタッチパネルからの入力操作を受け付ける。
【００４０】
ＵＳＢインタフェース３００は、メインコントローラ１００と操作パネル２００との通信インタフェースである。以下、ＵＳＢインタフェースの通信規格としてＵＳＢを採用するものとして説明する。ＵＳＢインタフェース３００は、電源ライン３０１と、差動信号線３０２，３０３と、グランド３０４と、を備えた通信インタフェースである。
【００４１】
電源ライン３０１は、メインコントローラ１００から操作パネル２００へ電源を供給する電源線である。差動信号線３０２，３０３は、メインコントローラと操作パネル２００との間で情報の送受信を行うための信号線である。グランド３０４は、メインコントローラ１００及び操作パネル２００にＧＮＤ電位を供給するためのグランド線である。
【００４２】
次に、図２を参照して、メインコントローラ１００の動作モードが通常モードから節電モードへ移行する際の動作をフローチャートを用いて説明する。ここで、制御部１０１内の監視モジュールにより、図２に示す動作を実行するか否かが監視されているものとする。例えば、操作装置１において一定時間何の処理も実行されず、図２の動作を実行するフラグが監視モジュールにより検出されると、図２の動作が実行される。
【００４３】
ここで、通常モードとは、操作装置１において電力消費する各部（電力消費部：制御部１０１、ＵＳＢコントローラ１０２、スイッチング回路１０３,１０４、制御部２０１、ＵＳＢコントローラ２０２、供給部としてのＤＣ−ＤＣコンバータ２０３、電源監視部２０４、ＯＲ回路２０５、スイッチング回路２０６、ＬＥＤ表示部、節電キー２０８、スイッチング回路２１０、操作表示部２１１）に電源供給を行うモードのことをいう。節電モードとは、電源供給を行う回路を制限したり、制御部１０１内のＣＰＵの動作周波数を下げること等により、通常モードより消費電力を低減するモードのことをいう。    
【００４４】
先ず、一定時間、何の処理も行われなかったか否かが判別される（ステップＳ１）。具体的には、操作装置１において何の処理（印刷データを受信する処理やＦＡＸデータを受信する処理等）も行われなかった時間がカウンタ（図示省略）により計時（カウント）され、当該カウントされたカウント値が一定時間を超えたか否かにより本ステップの判別が行われる。
【００４５】
ステップＳ１において、何らかの処理が行われている、または所定時間が経過していないと判別された場合（ステップＳ１；ＮＯ）、操作パネル２００から節電モード移行要求があったか否かが判別される（ステップＳ２）。具体的には、通常モードから節電モードに移行する旨の節電モード移行要求（パケット情報）が操作パネル２００から受信されたか否かに基づいて、本ステップの判別が行われる。例えば、通常モード時において、ユーザにより節電キー２０８が押下されると、節電モード移行信号２１２が制御部２０１に入力される。そして、制御部２０１によりＵＳＢコントローラ２０２、差動信号線３０２，３０３を介して、節電モード移行要求が送信される。この場合、制御部１０１により節電モード移行要求が受信され、本ステップではＹＥＳと判別される。
【００４６】
ステップＳ２において、節電モード移行要求がないと判別された場合（ステップＳ２；ＮＯ）、ステップＳ１に移行される。
【００４７】
ステップＳ２において、節電モード移行要求があると判別された場合（ステップＳ２；ＹＥＳ）、後述するステップＳ３に移行される。
【００４８】
ステップＳ１において、一定時間、何らかの処理も行われなかったと判別された場合（ステップＳ１；ＹＥＳ）、電源ライン３０１の電圧が５Ｖから３．３Ｖに切り替えられる（ステップＳ３）。具体的には、制御部１０１によりスイッチング回路１０３がＯＦＦに制御されるとともに、スイッチング回路１０４がＯＮに制御される。これにより、電源ライン３０１の電圧が５Ｖから３．３Ｖに切り替えられる。そして、操作パネル２００のＤＣ−ＤＣコンバータ２０３、電源監視部２０４及びスイッチング回路２１０に３．３Ｖの電圧が供給される。
【００４９】
ステップＳ３の実行後、用紙に画像を形成するための機能を有するプリントエンジン部（図示省略）の電源ＯＦＦ、節電モード時に電源供給が不要な回路（不要回路：例えば、スイッチング回路１０３）の電源ＯＦＦ及び制御部１０１のＣＰＵの動作周波数を低下させる処理等が実行される（ステップＳ４）。これにより、メインコントローラ１００は節電モードに移行される。
【００５０】
次に、図３を参照して、操作パネル２００の動作モードが通常モードから節電モードへ移行する際の動作をフローチャートを用いて説明する。
【００５１】
先ず、電源ライン３０１が５Ｖか否かが判別される（ステップＳ１１）。具体的には、電源ライン３０１の電圧が電源監視部２０４により検出され、当該検出された電圧値に基づいて、本ステップの判別が行われる。
【００５２】
ステップＳ１１において、電源ライン３０１が５Ｖであると判別された場合（ステップＳ１１；ＹＥＳ）、節電キー２０８が押下されたか否かが判別される（ステップＳ１２）。具体的には、通常モード時において、節電キー２０８（節電モード移行キー）が押下されると、節電モード移行信号２１２が制御部２０１に入力される。この節電モード移行信号２１２が制御部２０１により検知されたか否かに基づいて、本ステップの判別が行われる。
【００５３】
ステップＳ１２において、節電キー２０８が押下されていないと判別された場合（ステップＳ１２；ＮＯ）、ステップＳ１１に移行される。
【００５４】
ステップＳ１２において、節電キー２０８が押下されたと判別された場合（ステップＳ１２；ＹＥＳ）、制御部１０１へ節電モード移行要求が通知される（ステップＳ１３）。具体的には、ＵＳＢコントローラ２０２、差動信号線３０２，３０３及びＵＳＢコントローラ１０２を介して節電モード移行要求が制御部１０１へ通知される。ステップＳ１３の実行後、ステップＳ１１に移行される。
【００５５】
ステップＳ１１において、電源ライン３０１が５Ｖでないと判別された場合、電源監視部２０４の出力が“０”に変化され、操作表示部２１１の電源がＯＦＦとなる（ステップＳ１４）。具体的には、電源監視部２０４から出力される信号“０”に基づいて、スイッチング回路２１０がＯＦＦ状態になる。これにより、操作表示部２１１への電源の供給が停止され、操作表示部２１１が電源ＯＦＦとなる。
【００５６】
ステップＳ１４の実行後、制御部２０１の電源がＯＦＦとなる（ステップＳ１５）。具体的には、電源監視部２０４から出力される信号“０”がＯＲ回路２０５に入力される。また、このとき節電モード移行キーは押下されていない状態とすると、押下信号２１３の“０”がＯＲ回路２０５に入力される。このため、ＯＲ回路２０５により“０”が出力され、当該“０”がスイッチング回路２０６に入力される。そして、スイッチング回路２０６がＯＦＦ状態となり、制御部２０１及びＵＳＢコントローラ２０２への電源の供給が停止され、ＯＦＦ状態となる。これにより、操作パネル２００は、節電モード時に動作する電力消費部（ＤＣ−ＤＣコンバータ２０３、電源監視部２０４、ＬＥＤ表示部２０７、スイッチ２０８Ａ）のみに所定の電源（３．３Ｖ）がＤＣ−ＤＣコンバータ２０３から供給される節電モードに移行される。  
【００５７】
次に、図４を参照して、メインコントローラ１００の動作モードが節電モードから通常モードへ移行する際の動作をフローチャートを用いて説明する。ここで、制御部１０１内の監視モジュールにより、図４に示す動作を実行するか否かが監視されているものとする。例えば、操作装置１において何らかの処理が実行され、図４の動作を実行するフラグが監視モジュールにより検出されると、図４の動作が実行される。
【００５８】
先ず、操作装置１において、何らかの処理が行われたか否かが判別される（ステップＳ２１）。例えば、操作装置１において、印刷データを受信する処理やＦＡＸデータを受信する処理など（操作パネル２００の操作処理は除外）が行われたか否かが判別される。
【００５９】
ステップＳ２１において、何らかの処理が行われていないと判別された場合（ステップＳ２１；ＮＯ）、操作パネル２００から通常モード復帰要求があったか否かが判別される（ステップＳ２２）。具体的には、通常モード復帰要求が操作パネル２００から受信された否かに基づいて、本ステップの判別が行われる。例えば、ユーザにより節電キー２０８（通常モード復帰キー）が押下されると、通常モード復帰要求が差動信号線３０２，３０３を介して操作パネル２００から送信される。この場合、制御部１０１により通常モード復帰要求が受信され、本ステップではＹＥＳと判別される。
【００６０】
ステップＳ２２において、操作パネル２００から通常モード復帰要求がなかったと判別された場合（ステップＳ２２；ＮＯ）、ステップＳ２１に移行される。ステップＳ２２において、操作パネル２００から通常モード復帰要求があったと判別された場合（ステップＳ２２；ＹＥＳ）、後述するステップＳ２３に移行される。
【００６１】
ステップＳ２１において、何らかの処理が行われたと判別された場合（ステップＳ２１；ＹＥＳ）、電源ライン３０１が３．３Ｖから５Ｖに切り替えられる（ステップＳ２３）。具体的には、制御部１０１によりスイッチング回路１０３がＯＮに制御されるとともに、スイッチング回路１０４がＯＦＦに制御される。これにより、電源ライン３０１の電圧が３．３Ｖから５Ｖに切り替えられる。そして、操作パネル２００のＤＣ−ＤＣコンバータ２０３、電源監視部２０４及びスイッチング回路２１０に５Ｖの電圧が供給される。
【００６２】
ステップＳ２３の実行後、プリントエンジン部（図示省略）の電源ＯＮ、メインコントローラ１００内の不要回路の電源ＯＮ、制御部１０１のＣＰＵの動作周波数をアップさせる等の処理が実行される（ステップＳ２４）。そして、制御部２０１が起動完了した後に、操作パネル２００とデータの送受信が行われる（ステップＳ２５）。具体的には、操作パネル２００の制御部２０１及びＵＳＢコントローラ２０２に電源が供給され、制御部２０１及びＵＳＢコントローラ２０２の起動が完了した後、操作パネル２００とデータ（例えば、操作表示部２１１に表示するためのデータ）の送受信が行われる。ステップＳ２５の実行後、メインコントローラ１００は通常モードに移行される。
【００６３】
次に、図５を参照して、操作パネル２００の動作モードが節電モードから通常モードへ移行する際の動作をフローチャートを用いて説明する。以下、図３に示すフローチャートと異なる部分を主として説明する。
【００６４】
ステップＳ３１は第２の節電モード移行処理のステップＳ１１と同様である。
【００６５】
ステップＳ３１において、電源ライン３０１が５Ｖでないと判別された場合（ステップＳ３１；ＮＯ）、節電キー２０８が押下されたか否かが判別される（ステップＳ３２）。例えば、節電キー２０８（通常モード復帰キー）が押下されると、押下信号２１３の“１”がＯＲ回路２０５に入力される。このため、ＯＲ回路２０５により“１”が出力され、スイッチング回路２０６に入力される。この場合、本ステップは、ＹＥＳと判別される。すなわち、スイッチング回路２０６に入力される信号が“１”であるか否かに基づいて、本ステップの判別が行われる。
【００６６】
ステップＳ３２において、節電キー２０８が押下されなかったと判別された場合（ステップＳ３２；ＮＯ）、ステップＳ３１に移行される。
【００６７】
ステップＳ３２において、節電キー２０８が押下されたと判別された場合（ステップＳ３２；ＹＥＳ）、制御部２０１への電源供給が再開される（ステップＳ３３）。具体的には、スイッチング回路２０６がＯＮ状態となり、制御部２０１及びＵＳＢコントローラ２０２に電源が供給される（電源供給が再開される）。
【００６８】
ステップＳ３３の実行後、制御部２０１の起動完了後に、制御部１０１に通常モード復帰要求が通知される（ステップＳ３４）。具体的には、制御部２０１の起動完了後に、ＵＳＢコントローラ２０２差動信号線３０２，３０３及びＵＳＢコントローラ１０２を介して通常モード移行要求が制御部１０１へ通知される。ステップＳ３４の実行後、ステップＳ３１に移行される。
【００６９】
ステップＳ３１において、電源ライン３０１が５Ｖであると判別された場合（ステップＳ３１；ＹＥＳ）、制御部２０１、ＵＳＢコントローラ２０２及び操作表示部２１１への電源供給が再開される（ステップＳ３５）。具体的には、先ず、電源監視部２０４から出力される信号が“１”となる。そして、スイッチング回路２０６及びスイッチング回路２１０がＯＮ状態となり、制御部２０１、ＵＳＢコントローラ２０２及び操作表示部２１１への電源供給が再開される。なお、ステップＳ３２〜Ｓ３４を介して本ステップに移行された場合は、すでに制御部２０１及びＵＳＢコントローラ２０２への電源供給は再開されているので、操作表示部２１１のみの電源供給が再開される。
【００７０】
ステップＳ３５の実行後、制御部２０１の起動完了後に、メインコントローラ１００とデータの送受信が行われる（ステップＳ３６）。例えば、メインコントローラ１００から操作表示部２１１に表示するためのデータ（表示データ）が差動信号線３０２，３０３を介して受信される。
【００７１】
ステップＳ３６の実行後、受信された表示データが操作表示部２１１に表示される（ステップＳ３７）。そして、通常モードへの移行動作が完了する。  
【００７２】
以上、本実施の形態によれば、電源監視部２０４による監視結果に基づいて、節電モードと通常モードとの切り替えが行われる。例えば、節電キー２０８を介して通常モードから節電モードへの切り替え操作（節電モード移行キーの押下）があったとき、又は操作装置１で所定時間内に所定の処理（印刷データを受信する処理やＦＡＸデータを受信する処理等）が実行されないとメインコントローラ１００により判別されたとき、電源ライン３０１の電源電圧は３．３Ｖとなり、電源監視部２０４は監視結果として“０”を出力する。この場合、監視結果に基づいて、通常モードから節電モードへの切り替えが行われる。また、節電キー２０８を介して節電モードから通常モードへの切り替え操作（通常モード復帰キーの押下）があったとき、又は操作装置１で所定の処理（印刷データを受信する処理やＦＡＸデータを受信する処理など）が実行されたとメインコントローラ１００により判別されたとき、電源ライン３０１の電源電圧は５Ｖとなり、電源監視部２０４は監視結果として“１”を出力する。この場合、監視結果に基づいて、節電モードから通常モードへの切り替えが行われる。このため、ユーザの利便性を損なわずに、通常モードから節電モードへの移行又は節電モードから通常モードへの復帰をメインコントローラ１００及び操作パネル２００の双方から可能とすることができる。
【００７３】
また、節電モードでは、デバイス装置（操作パネル２００）内の所定の電力消費部（制御部２０１、ＵＳＢコントローラ２０２、操作表示部２１１）の電源供給が停止されるので、操作パネル２００の消費電力を削減することができる。
【００７４】
また、ＤＣ−ＤＣコンバータ２０３は、節電モード時に動作する電力消費部（電源監視部２０４、ＬＥＤ表示部２０７、スイッチ２０８Ａ）に、３．３Ｖの電源を供給する。これにより、節電モード時であっても、ユーザはＬＥＤ表示部２０７を参照することができるとともに、節電キー２０８の操作を行うことができる。
【００７５】
また、メインコントローラ１００は、通常モードから節電モードへ切り替え（移行）の際、スイッチング回路１０３への電源の供給の停止及び制御部１０１の動作周波数の低下の少なくとも１つを行う。これにより、節電モード時において、メインコントローラ１００の消費電力を削減することができる。
【００７６】
また、メインコントローラ１００と操作パネル２００との通信を行う際、通信規格としてＵＳＢを採用することができる。
【００７７】
（第２の実施の形態）
次に、図６〜図１０を参照して、本発明に係る第２の実施の形態を詳細に説明する。以下、第１の実施の形態と同様な部分には同一の符号を付し、その詳細な説明を援用し、異なる部分について以下説明する。
【００７８】
先ず、図６を参照して、本実施の形態の操作装置１Ａの内部構成を説明する。操作装置１Ａのメインコントローラ１００及びＵＳＢインタフェース３００の構成は、図１に示す操作装置１と同様の構成である。
【００７９】
操作パネル２００は、第２の電力消費部としての制御部２０１と、ＵＳＢコントローラ２０２と、ＤＣ−ＤＣコンバータ２０３と、電源監視部２０４と、ＯＲ回路２０５Ａと、ＬＥＤ表示部２０７と、節電キー２０８と、スイッチ２０８Ａと、プルダウン抵抗２０９と、スイッチング回路２１０と、第１の電力消費部としての操作表示部２１１と、を備えて構成される。メインコントローラ１００の制御部１０１、操作パネル２００の電源監視部２０４、ＯＲ回路２０５Ａ及びスイッチング回路２１０は、切り替え部として機能する。
【００８０】
ＯＲ回路２０５Ａは、電源監視部２０４から出力される信号と、節電キー２０８の押下によりレベル変化する信号（押下信号２１３）とのいずれかが“１”であれば、出力信号として“１”を制御部２０１に出力する。
【００８１】
以下、操作パネル２００が節電モードであって、ＯＲ回路２０５Ａから出力される出力信号が“１”であるとき、当該出力信号を割り込み信号２１４と定義する。割り込み信号２１４とは、制御部２０１の節電状態を解除するための信号である。また、節電状態とは、制御部２０１には電源（３．３Ｖ電圧）は供給され続けるが、制御部２０１内のＣＰＵの動作周波数が低下し、ほとんど電源ＯＦＦと同じような状態のことをいう。具体的には、節電状態は、内部のレジスタ（ＲＯＭ、ＲＡＭ）等の値を保持するだけの状態であって、外部からのトリガ（割り込み信号２１４）が入力されるのをただ待っている状態のことをいう。
【００８２】
次に、図７を参照して、メインコントローラ１００の動作モードが通常モードから節電モードへ移行する際の動作をフローチャートを用いて説明する。以下、図２と異なる部分を主として説明する。    
【００８３】
ステップＳ４１〜Ｓ４３は、図２のステップＳ１〜Ｓ３と同様である。ステップＳ４３の実行後、制御部２０１が節電状態にされる（ステップＳ４４）。具体的には、制御部１０１から差動信号線３０２，３０３を介して制御部２０１を節電状態にする旨の節電状態移行命令が制御部２０１に送信され、制御部２０１が節電状態にされる。ステップＳ４５は図２のステップＳ５と同様である。なお、ステップＳ４４の制御部２０１への節電状態移行命令のあとに、ステップＳ４３の電源ライン３０１を５Ｖから３．３Ｖに切り換えることとしても構わない。
【００８４】
次に、図８を参照して、操作パネル２００の動作モードが通常モードから節電モードへ移行する際の動作をフローチャートを用いて説明する。以下、図３と異なる部分を主として説明する。
【００８５】
ステップＳ５１〜５４は、図３のステップＳ１１〜１４と同様である。
【００８６】
ステップＳ５４の実行後、制御部１０１から制御部２０１を節電状態にする旨の命令（節電状態移行命令）が受信されたか否かが判別される（ステップＳ５５）。具体的には、図７のステップ４４で制御部１０１から送信された節電状態移行命令を制御部２０１が受信したか否かに基づいて、本ステップの判別が行われる。
【００８７】
ステップＳ５５において、制御部２０１を節電状態にする旨の命令が受信されていないと判別された場合（ステップＳ５５；ＮＯ）、ステップＳ５５に移行される。ステップＳ５５において、制御部２０１を節電状態にする旨の命令が受信されたと判別された場合（ステップＳ５５；ＹＥＳ）、制御部２０１が節電状態に移行される（ステップＳ５６）。これにより、操作パネル２００は、電源供給が必要な電力消費部（ＤＣ−ＤＣコンバータ２０３、電源監視部２０４、ＬＥＤ表示部２０７、スイッチ２０８Ａ）に電源（３．３Ｖ）が供給され、且つ、制御部２０１が節電状態となる節電モードに移行される。
【００８８】
なお、図７に示す制御部２０１への節電状態移行命令（ステップＳ４４）のあとに、電源ラインを５Ｖから３．３Ｖに切り換える場合は、ステップＳ５５、Ｓ５６、Ｓ５１、Ｓ５２の順に処理が実行される。
【００８９】
次に、図９を参照して、メインコントローラ１００の動作モードが節電モードから通常モードへ移行する際の動作をフローチャートを用いて説明する。以下、図４と異なる部分を主として説明する。
【００９０】
ステップＳ６１〜Ｓ６４は、図４のステップＳ２１〜２４と同様である。
【００９１】
ステップＳ６４の実行後、割り込み信号２１４による制御部２０１の節電状態の解除後、操作パネル２００とデータの送受信が行われる（ステップＳ６５）。具体的には、ＯＲ回路２０５Ａから出力される割り込み信号２１４が制御部２０１に入力され、制御部２０１の節電状態が解除される。そして、制御部２０１の節電状態の解除後、操作パネル２００と操作表示部２１１に表示するデータ等の送受信が行なわれる。
【００９２】
次に、図１０を参照して、操作パネル２００の動作モードが節電モードから通常モードへ移行する際の動作をフローチャートを用いて説明する。以下、図５と異なる部分を主として説明する。
【００９３】
ステップＳ７１，Ｓ７２は図５のステップＳ３１，３２と同様である。
【００９４】
ステップＳ７２において、節電キー２０８が押下されたと判別された場合（ステップＳ７２；ＹＥＳ）、ＯＲ回路２０５Ａから出力される割り込み信号２１４が制御部２０１に入力され、制御部２０１の節電状態が解除される（ステップＳ７３）。
【００９５】
ステップＳ７３の実行後、制御部２０１の節電状態の解除後に、制御部１０１に通常モード復帰要求が通知される（ステップＳ７４）。具体的には、制御部２０１の節電状態の解除後に、ＵＳＢコントローラ２０２、差動信号線３０２，３０３及びＵＳＢコントローラ１０２を介して通常モード移行要求が制御部１０１へ通知される。ステップＳ７４の実行後、ステップＳ７１に移行される。
【００９６】
ステップＳ７１において、電源ライン３０１が５Ｖであると判別された場合（ステップＳ７１；ＹＥＳ）、割り込み信号２１４が制御部２０１に入力され、制御部２０１の節電状態が解除される。また、操作表示部２１１への電源供給が再開される（ステップＳ７５）。具体的には、先ず、電源監視部２０４から出力される信号が“１”となる。そして、ＯＲ回路２０５Ａから割り込み信号２１４が制御部２０１に入力される。また、スイッチング回路２１０がＯＮ状態となり、操作表示部２１１への電源供給が再開される。これにより、制御部２０１の節電状態が解除される。なお、ステップＳ７２〜Ｓ７４を介して本ステップに移行された場合は、すでに制御部２０１は節電状態が解除されているので、操作表示部２１１のみの電源供給が再開される。
【００９７】
ステップＳ７５の実行後、制御部２０１の節電状態の解除後に、メインコントローラ１００とデータの送受信が行われる（ステップＳ７６）。ステップＳ７７は、図５のステップＳ３７と同様である。
【００９８】
以上、本実施の形態によれば、第１の実施の形態に係る操作装置１と比較して、スイッチング回路２０６を必要としないため、コスト削減を実現できるとともに、通常モードと節電モードとの切り替えの処理速度を速くすることができる。
【００９９】
また、節電モード時において、操作表示部２１１に供給する電源を停止するとともに、制御部２０１の消費電力を低下させるので、通常モードと比較して、操作パネル２００の消費電力を削減することができる。
【０１００】
なお、上記実施の形態における記述は、本発明に係る操作装置の一例であり、これに限定されるものではない。
【０１０１】
例えば、上記実施の形態では、節電キー２０８の節電モード移行キー又は通常モード復帰キーが押下されると、押下された期間だけ押下信号２１３が“１”となる構成としたがこれに限定されるものではない。例えば、節電モード移行キー又は通常モード復帰キーが押下されると、継続して押下信号２１３が“１”となる構成としてもよい。この場合、継続して押下信号２１３が“１”となり、さらにもう１本信号を入力することで“０”に戻るような電子部品を追加することになる。
【０１０２】
また、節電モードから通常モードの復帰時において、メインコントローラ１００から５Ｖ電源が操作パネル２００に供給され、制御部２０１に電源が供給されるまで、節電キー２０８を長押しする仕様としてもよい。この仕様により、節電キーを長押しすれば、長押しした後に節電キー２０８を離しても（押下状態から解除しても）、電源監視部２０４からの出力が“１”となっているので、上述のように新たに電子部品を追加する必要もない。
【０１０３】
また、上記実施の形態では、通信規格としてＵＳＢを採用するものとして説明したが、これに限定されるものではない。例えば、通信規格としてＩＥＥＥ１３９４を採用することとしてもよい。
【０１０４】
その他、本実施の形態における、操作装置の細部構造及び詳細動作に関しても、本発明の趣旨を逸脱しない範囲で適宜変更可能である。
【符号の説明】
【０１０５】
１，１Ａ      操作装置
１００ メインコントローラ
１０１，２０１  制御部
１０２，２０２  ＵＳＢコントローラ
１０３，１０４       スイッチング回路
２００ 操作パネル
２０３ ＤＣ−ＤＣコンバータ
２０４ 電源監視部
２０５，２０５Ａ     ＯＲ回路
２０６ スイッチング回路
２０７ ＬＥＤ表示部
２０８ 節電キー
２０８Ａ      スイッチ
２０９ プルダウン抵抗
２１０ スイッチング回路
２１１ 操作表示部
２１２ 節電モード移行信号
２１３ 押下信号
２１４ 割り込み信号
３００ ＵＳＢインタフェース
３０１ 電源ライン
３０２，３０３差動信号線
３０４ グランド
【図１】
0005549275.tif 000002
【図２】
0005549275.tif 000003
【図３】
0005549275.tif 000004
【図４】
0005549275.tif 000005
【図５】
0005549275.tif 000006
【図６】
0005549275.tif 000007
【図７】
0005549275.tif 000008
【図８】
0005549275.tif 000009
【図９】
0005549275.tif 000010
【図１０】
0005549275.tif 000011